(57)【要約】【課題】繁忙期と閑散期との双方における貯氷量の過不足を抑制することが可能なアイスディスペンサを提供する。【解決手段】アイスディスペンサ１０は、氷を製氷する製氷部２２と、製氷部２２で製氷された氷を貯える貯氷槽７０と、貯氷槽７０に貯えられた氷を放出する放出口９２と、放出口９２からの氷の放出をユーザが操作可能な操作部９９と、製氷部２２による製氷を制御する制御部１００と、を備え、制御部１００は、所定時間内における放出口９２からの氷の放出量に応じて繁忙モードと閑散モードとを切り替えるモード切り替え手段を有し、閑散モードでは、繁忙モードよりも貯氷槽７０の貯氷量が少なくなるように製氷部２２による製氷を制御する。【選択図】図８
2019117021.tif 000002
【特許請求の範囲】
【請求項１】
氷を製氷する製氷部と、
前記製氷部で製氷された氷を貯える貯氷槽と、
前記貯氷槽に貯えられた氷を放出する放出口と、
前記放出口からの氷の放出をユーザが操作可能な操作部と、
前記製氷部による製氷を制御する制御部と、を備え、
前記制御部は、所定時間内における前記放出口からの氷の放出量に応じて繁忙モードと閑散モードとを切り替えるモード切り替え手段を有し、
前記閑散モードでは、前記繁忙モードよりも前記貯氷槽の貯氷量が少なくなるように前記製氷部による製氷を制御する、アイスディスペンサ。
【請求項２】
前記操作部は、操作回数に応じた量の氷を前記放出口から放出させるものであり、
前記制御部は、前記操作部の操作回数に応じて前記閑散モードと前記繁忙モードとを切り替える請求項１に記載のアイスディスペンサ。
【請求項３】
前記貯氷槽が満氷であることを検知する検知部を備え、
前記制御部は、前記所定時間内における前記放出口からの氷の放出量が閾値以下であり、かつ、前記検知部が満氷であることを検知した際に、前記繁忙モードから閑散モードに切り替える請求項１又は請求項２に記載のアイスディスペンサ。
【請求項４】
流下した水が凍結することによりブロック形氷が板状に連結された形状の板形連結氷が製氷面に付着し、貫通孔が形成された製氷板と、
前記貫通孔に挿通され、前記製氷板から前記板形連結氷が離脱する方向に移動する押し出し部と、
前記板形連結氷の移動を検知する移動検知部と、
前記貯氷槽に貯えられた氷を攪拌するように動作するアジテータと、
ユーザにより第１設定と前記第１設定よりも前記貯氷槽に貯氷される氷の少ない第２設定とを切り替え可能な設定手段と、を備え、
前記制御部は、前記第１設定に設定されている状態では、前記押し出し部の押し出し動作時において前記移動検知部が前記板形連結氷の移動を検知した後に前記アジテータを動作させ、前記第２設定に設定されている状態では、前記押し出し部の押し出し動作時において前記移動検知部が前記板形連結氷の移動を検知する前に前記アジテータを動作させる請求項１から請求項３のいずれか一項に記載のアイスディスペンサ。
【請求項５】
前記第２設定に設定されている状態で前記繁忙モードとなると、前記制御部は、前記移動検知部が前記板形連結氷の移動を検知する前に前記アジテータを動作させ、前記第２設定に設定されている状態で前記閑散モードとなると、前記制御部は、前記アジテータを動作させない請求項４に記載のアイスディスペンサ。
【発明の詳細な説明】
【技術分野】
【０００１】
本明細書では、アイスディスペンサに関する技術を開示する。
【背景技術】
【０００２】
従来、製氷された氷の貯氷量を所定の範囲に保持する技術が知られている。特許文献１には、製氷運転状況から貯氷庫内の貯氷量を算出して製氷する製氷機が開示されており、貯氷庫内の貯氷量は、「単位時間当たりの放水量」を減算し、「単位時間当たりの製氷量」を加算することにより算出される。そして、算出された貯氷量が上位作動値まで増加したときに製氷運転を停止し、下位作動値からさらに減少した所定の中間氷量値である閾値まで低下した場合に製氷運転を開始している。
【先行技術文献】
【特許文献】
【０００３】
【特許文献１】特許４４６０６５８号公報
【発明の概要】
【発明が解決しようとする課題】
【０００４】
ところで、特許文献１の構成では、氷の需要が増加する繁忙期と氷の需要が減少する閑散期とのいずれの時期であるか否かに関わらず、「単位時間当たりの放水量」及び「単位時間当たりの製氷量」に基づいて貯氷量を所定の範囲に保持するため、ユーザによる製氷操作が多い繁忙期に貯氷量の不足により製氷が間に合わなくなったり、ユーザによる製氷操作が少ない閑散期に貯氷量が多すぎて無駄な製氷が多くなることが懸念される。
【０００５】
本明細書に記載された技術は、上記のような事情に基づいて完成されたものであって、
繁忙期と閑散期との双方における貯氷量の過不足を抑制することが可能なアイスディスペンサを提供することを目的とする。
【課題を解決するための手段】
【０００６】
本明細書に記載されたアイスディスペンサは、氷を製氷する製氷部と、前記製氷部で製氷された氷を貯える貯氷槽と、前記貯氷槽に貯えられた氷を放出する放出口と、前記放出口からの氷の放出をユーザが操作可能な操作部と、前記製氷部による製氷を制御する制御部と、を備え、前記制御部は、所定時間内における前記放出口からの氷の放出量に応じて繁忙モードと閑散モードとを切り替えるモード切り替え手段を有し、前記閑散モードでは、前記繁忙モードよりも前記貯氷槽の貯氷量が少なくなるように前記製氷部による製氷を制御する。
本構成によれば、制御部がユーザによる氷の需要に応じて繁忙モードと閑散モードとを切り替えることにより、繁忙期の氷の不足や閑散期の無駄な製氷を抑制することが可能になる。よって、繁忙期と閑散期との双方における貯氷量の過不足を抑制することが可能となる。
【０００７】
本明細書に記載された技術の実施態様としては以下の態様が好ましい。
前記操作部は、操作回数に応じた量の氷を前記放出口から放出させるものであり、前記制御部は、前記操作部の操作回数に応じて前記閑散モードと前記繁忙モードとを切り替える。
このようにすれば、氷の放出量を操作部の操作回数に応じて検知することが可能になるため、閑散モードと繁忙モードとの切り替えの処理を容易に行うことができる。
【０００８】
前記貯氷槽が満氷であることを検知する検知部を備え、前記制御部は、前記所定時間内における前記放出口からの氷の放出量が閾値以下であり、かつ、前記検知部が満氷であることを検知した際に、前記繁忙モードから閑散モードに切り替える。
このようにすれば、貯氷槽が満氷となった後に閑散モードとなるため、閑散モードにおける氷の不足を抑制することができる。
【０００９】
流下した水が凍結することによりブロック形氷が板状に連結された形状の板形連結氷が製氷面に付着し、貫通孔が形成された製氷板と、前記貫通孔に挿通され、前記製氷板から前記板形連結氷が離脱する方向に前記板形連結氷を押し出す押し出し部と、前記板形連結氷の移動を検知する移動検知部と、前記貯氷槽に貯えられた氷を攪拌するように動作するアジテータと、ユーザにより第１設定と前記第１設定よりも前記貯氷槽に貯氷される氷の少ない第２設定とを切り替え可能な設定手段と、を備え、前記制御部は、前記第１設定に設定されている状態では、前記押し出し部の押し出し動作時において前記移動検知部が前記板形連結氷の移動を検知した後に前記アジテータを動作させ、前記第２設定に設定されている状態では、前記押し出し部の押し出し動作時において前記移動検知部が前記板形連結氷の移動を検知する前に前記アジテータを動作させる。
このようにすれば、ユーザの設定により、貯氷槽に貯氷される氷をアジテータが攪拌するタイミングを変えることができるため、貯氷槽に貯氷される氷の量をユーザの設定に応じて調節することができる。
【００１０】
前記第２設定に設定されている状態で前記繁忙モードとなると、前記制御部は、前記移動検知部が前記板形連結氷の移動を検知する前に前記アジテータを動作させ、前記第２設定に設定されている状態で前記閑散モードとなると、前記制御部は、前記アジテータを動作させない。
このようにすれば、第２設定に設定されている状態における貯氷量の過不足を抑制することが可能となる。
【発明の効果】
【００１１】
本明細書に記載された技術によれば、繁忙期と閑散期との双方における貯氷量の過不足を抑制することが可能となる。
【図面の簡単な説明】
【００１２】
【図１】実施形態１のアイスディスペンサを示す正面図
【図２】図１の内部を表した断面斜視図
【図３】図１のＡ−Ａ断面図
【図４】製氷部の近傍を拡大して示す平断面図
【図５】製氷部の近傍を拡大して示す縦断面図
【図６】冷凍回路と製氷水回路とを示す図
【図７】アイスディスペンサの電気的構成を示す図
【図８】氷の放出量に応じたモードの変化を示すタイミングチャート
【図９】制御部の処理を示すフローチャート
【図１０】繁忙モードにおける製氷処理を示すフローチャート
【図１１】閑散モードにおける製氷処理を示すフローチャート
【図１２】設定及びモードが異なる場合のアジテータの動作を示すタイミングチャート
【図１３】実施形態２の氷の放出量に応じたモードの変化を示すタイミングチャート
【図１４】制御部の処理を示すフローチャート
【発明を実施するための形態】
【００１３】
実施形態１のアイスディスペンサ１０について図１〜図１０を参照しつつ説明する。
アイスディスペンサ１０は、図１，図２に示すように、略直方体形状のハウジング１１と、氷が製氷される製氷機構２０と、製氷機構２０により製氷された氷を貯える貯氷槽７０と、貯氷槽７０内に貯えた氷を容器台６６に載置されたカップ等の容器に放出する放出機構９０と、放出口９２からの氷の放出をユーザが操作可能な操作部９９とを備えている。
【００１４】
製氷機構２０は、ハウジング１１の上側に配置されており、氷を製氷する製氷部２２と、製氷部２２の下側に配置されて製氷水を貯えるタンク４５とを備えている。製氷部２２は、鉛直に起立し、前面を製氷面２４とした浅い箱形の製氷板２３と、製氷板２３の製氷面２４側に多数の製氷小室を形成する格子状の仕切り部材２６とを備えている。製氷板２３及び仕切り部材２６は熱伝導性の良い銅板またはアルミニウム板が用いられている。製氷面２４を流下する製氷水は凍結し、各製氷小室内で多数のブロック形に製氷される。各製氷小室内のブロック形氷は、隣り合う製氷小室内のブロック形氷と部分的に連結されているため、製氷板２３の製氷面２４側には、ブロック形氷が連結されて全体として板形の形状となった板形連結氷が形成される。
【００１５】
製氷板２３には、図５に示すように、貫通孔１８が貫通形成されており、この貫通孔１８に氷離脱装置５０のスライドピン５１（「押し出し部」の一例）が挿通可能となっている。貫通孔１８は、製氷板２３における左右方向の中間部で、上下方向の中間部よりも、やや上方側に形成されている。これにより、スライドピン５１は、板形連結氷に対しては左右方向の中間部であって、上下方向の中間部よりもやや上側に当接して板形連結氷を製氷板２３から離脱する方向に押し出し可能とされている。貫通孔１８の後方には、スライドピン５１のスライド方向を案内するガイド部材１９が固定されている。ガイド部材１９には、スライドピン５１が挿通される挿通孔１９Ａが貫通形成されている。製氷板２３の製氷面２４と反対側には、図６に示すように、製氷部２２としての冷凍装置３０における蒸発管３４と温度センサ３８とが固定されている。
【００１６】
冷凍装置３０は、冷媒を圧縮する圧縮機３１と、圧縮した冷媒ガスをファン４２の送風により冷却して液化させる凝縮器３２と、液化冷媒を膨張させる膨張弁３３と、膨張させた液化冷媒を気化させて製氷板２３を冷却する蒸発管３４とを備え、これらは冷媒管によって連結されて冷媒が循環する冷凍回路（冷媒回路）となっている。また、冷凍装置３０は、冷凍回路に混入した水分を除去するためのドライヤ３５と、圧縮機３１と蒸発管３４との間を接続するバイパス管３６とを備え、バイパス管３６にはホットガス弁３７が介装されている。冷媒管における蒸発管３４の入口部分及び出口部分やドライヤ３５と凝縮器３２との間には冷媒の温度を検知するための温度センサ３９が固定されている。製氷機構２０で製氷運転するときに、冷凍装置３０のホットガス弁３７を閉止させた状態で圧縮機３１を作動させると、液化冷媒は蒸発管３４で気化して製氷板２３と仕切り部材２６が冷却される。製氷板２３の製氷面２４側を流下する製氷水は冷却された製氷板２３と仕切り部材２６とにより冷却され、製氷水は製氷板２３の製氷面２４側で凍結して氷となる。
【００１７】
製氷機構２０で除水運転をするときには、冷凍装置３０のホットガス弁３７を開放させた状態で圧縮機３１を作動させると、圧縮機３１から送られたホットガスが蒸発管３４を通過させるときに製氷板２３及び仕切り部材２６を加温し、製氷板２３の製氷面２４側に製氷された氷は加温された製氷板２３及び仕切り部材２６との接触面で融解される。
【００１８】
図４，図５に示すように、製氷板２３の製氷面２４側には製氷面２４側を流下させた製氷水が周囲に飛散するのを防ぐガイド板４０が上端側を軸として所定角度回動可能に設けられている。ガイド板４０及びハウジング１１の少なくとも一方には、製氷面２４側にて製氷された氷の製氷板２３からの離脱や、貯氷槽７０内が満氷状態であることを検知するための近接センサ等からなる検知部４１（図６参照）が固定されている。製氷板２３で製氷された板形連結氷がガイド板４０に当接すると、ガイド板４０が垂下姿勢から傾斜姿勢となるため、検知部４１がガイド板４０の位置を検知することにより、製氷された氷の製氷板２３からの離脱を検知できる。また、貯氷槽７０に落下した板形連結氷が貯氷槽７０内で積み上がると、ガイド板４０は積み上がった最上部の板形連結氷に当接して垂下姿勢に戻らずに傾斜姿勢を維持するため、検知部４１がガイド板４０の位置を検知することにより、貯氷槽７０が満氷状態にあることを検知することができる。
【００１９】
製氷板２３の製氷面２４側を流下する製氷水はタンク４５に流れ落ちるようになっている。タンク４５には、図６に示すように、水道などの給水源に接続した給水管４８が接続されており、給水管４８には給水弁４９が設けられている。給水弁４９の開放によって給水源の水は給水管４８を通ってタンク４５に供給される。タンク４５内の製氷水は、製氷水回路６０により循環される。製氷水回路６０はタンク４５内に設けた送水ポンプ６１と、送水ポンプ６１に接続された送水管６２と、浮力で水位に合わせて上下変動し、送水をオンオフするフロートスイッチ４７Ｂと、タンク４５内の水温を検知する水温センサ４７Ａと、製氷板２３の上側に配設されて送水管６２に接続された散水器６３とを備えている。また、送水管６２の中間部には製氷水を容器台６６に導く導水管６４が接続されており、導水管６４には排水バルブ６５が設けられている。製氷運転をしたときに、タンク４５内の製氷水は送水ポンプ６１の駆動によって送水管６２を通って散水器６３に送られ、散水器６３から製氷板２３の製氷面２４側を流下してタンク４５に戻り、タンク４５内の製氷水は製氷水回路６０によってタンク４５と製氷板２３の製氷面２４側とを循環する。タンク４５内の製氷水は製氷面２４で漸次凍結して仕切り部材２６の中で氷となる。製氷運転後に残るタンク４５内の製氷水は排水バルブ６５の開放によって導水管６４から容器台６６に送られる。
【００２０】
タンク４５内には、図３に示すように、水位センサ４６が設けられている。水位センサ４６はタンク４５内の製氷水の第１水位と第１水位より高い第２水位を検出するものである。水位センサ４６により検出される第１水位は製氷板２３にて製氷が完了したときのタンク４５内の水位であり、第２水位は製氷板２３の製氷面２４側にて板形連結氷を製氷するのに必要なタンク４５内の水位である。第２水位であったタンク４５内の製氷水は製氷板２３に板形連結氷が形成されると、第１水位まで減少するため、この水位の変化を水位センサ４６が検出することにより、板形連結氷が形成されたことが検知される。板形連結氷が形成されたことが検知されると、送水ポンプ６１の駆動を停止させるとともに、圧縮機３１から送出されるホットガスを蒸発管３４に送出させる。板形連結氷を製氷板２３及び仕切り部材２６との接触面で僅かに融かして製氷板２３から離脱可能な状態にし、氷離脱装置５０により板形連結氷を製氷板２３から離脱させて貯氷槽７０の内部に落下させる。
【００２１】
氷離脱装置５０は、図５に示すように、製氷板２３の後側に設けられており、製氷板２３の貫通孔１８に挿通されるスライドピン５１を備えている。スライドピン５１はモータ５２の駆動によって回転するカムによって貫通孔１８を貫通する方向にスライド移動可能とされている。モータ５２は回転軸の回転角度を検出する角度検出センサを備えており、角度検出センサは回転軸に取り付けたエンコーダにより回転軸の回転角度を検出するようになっており、角度検出センサによりスライドピン５１の押し出し位置を検知することができる。なお、図５では、スライドピン５１について、製氷板２３から板形連結氷を離脱させる押し出し位置まで進出した状態に符号５１Ａを付し、板形連結氷を押圧しない退避位置まで退避した状態に符号５１Ｂを付している。
【００２２】
図２に示すように、貯氷槽７０は製氷機構２０にて製氷した氷を貯えるものであり、ハウジング１１内にて製氷機構２０の下則に配置されている。搬送機構７５は貯氷槽７０内の氷を放出機構９０に搬送するものであり、搬送羽根７６を回転させるモータ７７と、筒体の下側に設けたモータ７８と、筒体内に回転可能に支持されたオーガスクリュー８０とを備えている。モータ７７の出力軸にはアジテータ７９が固定されている。アジテータ７９は撹拌軸７９Ａと、撹拌軸７９Ａに対して交差する方向に延出された複数の撹拌棒７９Ｂとを備えている。モータ７７の駆動により搬送羽根７６とともに撹拌軸７９Ａが回転すると、撹拌棒７９Ｂは貯氷槽７０内を回動して製氷機構２０により製氷された板形連結氷をブロック形の氷に砕くとともに、貯氷槽７０内に局部的に氷が貯まるのを防ぐようにしている。
【００２３】
放出機構９０は、搬送機構７５により搬送された氷を定量してカップ等の容器に放出するものであり、ハウジング１１の上部に設けた円柱形の定量室９１を備える。定量室９１の底部側には氷が放出される放出口９２と所定量の氷を複数室に仕切る氷定量器９１Ａとが設けられている。氷定量器９１Ａは、モータ９３の駆動力により氷を回動させるものであり、図３に示すように、定量室９１に回動自在に支持された中心軸部９４Ａと、中心軸部９４Ａから放射状に延び、周方向に等間隔の６カ所の扇形定量空間を形成するセパレ一夕部９４Ｂとを備えている。また、氷定量器９１Ａの上側には扇形定量空間の上側からはみ出る氷を除く除去装置７１が設けられている。氷定量器９１Ａを例えば６０°回動させると、１つ分の扇形定量空間内の氷が放出口９２の上側に配され、放出口９２から容器台６６の容器に放出される。また、氷定量器９１Ａを例えば１８０°回動させると氷定量器９１Ａの３つ分の扇形定量空間内で定量された氷が放出口９２の上側に移動し、定量された氷は放出口９２から容器台６６の容器内に放出される。放出口９２からの氷の放出は、操作部９９の操作に応じて行われる。操作部９９は、図１に示すように、複数（本実施形態では３つ）の操作ボタンを備えており、それぞれ異なる量の氷が放出される。本実施形態では、各操作ボタンは、例えば、それぞれ１つ分、２つ分、３つ分の扇形定量空間を回転させるものであり、各操作ボタンの放出量は、例えば、１００ｇ，２００ｇ，３００ｇとされる。
【００２４】
容器台６６は、図２に示すように、放出機構９０から放出される氷を受ける容器を載置するものであり、ハウジング１１の上部にて放出機構９０の放出口９２の下側に設けられ、排水路を備えている。容器からこぼれ落ちた氷や水は排水路のドレンパンで受けられ、ドレンパンで受けた氷や水は排水管９７を通ってハウジング１１外に排出される。
【００２５】
アイスディスペンサ１０の電気的構成について図７を参照しつつ説明する。
アイスディスペンサ１０は、図７に示すように、マイクロコンピュータ等からなる制御部１００を備えており、制御部１００は、タイマ１０１と、製氷部２２による製氷を多くなるように制御する繁忙モードと繁忙モードよりも製氷部２２による製氷が少なくするように制御する閑散モードとを切り替えるモード切り替え手段１０２とを有する。また、制御部１００には、操作部９９、設定手段１０４、電流センサ１０６（「移動検知部」の一例）、水位センサ４６、検知部４１、温度センサ３８、圧縮機３１、ホットガス弁３７、送水ポンプ６１、給水弁４９、モータ５２、７７、９３、氷定量器９１Ａ等が接続されている。
【００２６】
電流センサ１０６は、氷離脱装置５０のスライドピン５１を移動させるモータ５２への供給電流を検知しており、モータ５２への供給電流の低下により、板形連結氷が動き出してモータ５２の負荷が減少したことを検知することができる。
【００２７】
設定手段１０４は、ユーザが操作可能なスイッチとされており、ユーザにより第１設定と、第１設定よりも貯氷槽７０に貯氷される氷の少ない第２設定と、を切り替え可能とされている。第１設定では繁忙モードと閑散モードのいずれにおいても制御部１００は、常に貯氷槽７０が満氷になるように製氷部２２を制御する。そして、第１設定に設定されている状態では、繁忙モード及び閑散モードのいずれの状態においても、板形連結氷が移動を開始した後にアジテータ７９が貯氷槽７０内を攪拌する。具体的には、図１２に示すように、スライドピン５１の押し出し動作時において板形連結氷が移動を開始するとスライドピン５１の負荷が小さくなってスライドピン５１を移動させるモータ５２の電流が低下する。そのため、第１設定では、例えば電流センサ１０６により検知したモータ５２の電流が低下したときに、制御部１００は、板形連結氷の移動を検知し、アジテータ７９により貯氷槽７０内を所定時間（本実施形態では１６秒）攪拌する。また、繁忙モードにおいて第２設定に設定されている状態では、制御部１００は、スライドピン５１の押し出し動作時において押し出し開始時（又は徐氷の開始時）にアジテータ７９が所定時間（本実施形態では１６秒）攪拌する。一方、閑散モードにおいて第２設定に設定されている状態では、制御部１００は、アジテータ７９により攪拌を行わない。
【００２８】
次に、制御部１００の処理を図９〜図１１を参照しつつ説明する。
制御部１００は、図９に示すように、タイマ１０１により時間を計測している（Ｓ１）。ユーザにより操作部９９の操作ボタンが押されたことを検知すると（Ｓ２で「ＹＥＳ」）、制御部１００は、モータ９３を駆動し、操作ボタンの種類及び押した回数に応じた角度で氷定量器９１Ａを回動させ、定量室９１の底部に形成した放出口９２から氷を放出させるとともに、操作ボタンの種類及び回数により氷の放出量を算出する（Ｓ３）。また、制御部１００は、氷の放出量に応じて貯氷槽７０内の氷を放出機構９０に搬送して定量室９１内の氷を追加する。
【００２９】
次に、タイマ１０１の経過時間及び放出量に基づいて、直近３０分間における氷の放出量が閾値（６００ｇ）以上であるか否かを判断する（Ｓ４）。図８に示すように、直近３０分間における氷の放出量が閾値（６００ｇ）以上である場合には（Ｓ４で「ＹＥＳ」）、制御部１００は、繁忙モードとし、繁忙モードの製氷処理を行う（Ｓ５）。なお、直近３０分間における氷の放出量の検出は、例えば常時（微小時間ごと）に検出することができる。
【００３０】
繁忙モードの製氷処理では、図１０に示すように、制御部１００は、製氷機構２０を動作させて製氷を行い（Ｓ１１）、操作ボタンの操作に応じた閑散モードへの切り替えがなければ（Ｓ１２で「ＮＯ」）、検知部４１が満氷を検知するまで製氷し続ける（Ｓ１３で「ＮＯ」，Ｓ１１）。そして、操作ボタンの操作回数に応じて閑散モードに切り替えられると（Ｓ１２で「ＹＥＳ」）、繁忙モードの製氷処理を終了する。
【００３１】
Ｓ４において、直近３０分間における氷の放出量が閾値（６００ｇ）以上でない場合には（Ｓ４で「ＮＯ」）、検知部４１が満氷を検知しているが否か判断し（Ｓ７）、検知部４１が満氷を検知している場合には（Ｓ７で「ＹＥＳ」）、図８に示すように、制御部１００は、閑散モードとし、閑散モードの製氷処理を行う（Ｓ８）。
【００３２】
閑散モードの製氷処理では、図１１に示すように、操作ボタンの操作に応じた繁忙モードへの切り替えがなければ（Ｓ２１で「ＮＯ」）、満氷検知後、所定時間（８時間）経過するまで製氷が行われない（Ｓ２２で「ＮＯ」）。そして、満氷検知後、所定時間（８時間）経過したと判断すると（Ｓ２２で「ＹＥＳ」）、検知部４１が満氷を検知するまで製氷機構２０を動作させて製氷を行い（Ｓ２３、Ｓ２４で「ＮＯ」）、検知部４１が満氷を検知すると（Ｓ２４で「ＹＥＳ」）、繁忙モードへの切り替えがなければ（Ｓ２１で「ＮＯ」）、満氷検知後、所定時間（８時間）経過するまで製氷が行われない（Ｓ２２で「ＮＯ」）。一方、操作ボタンの操作回数に応じて繁忙モードに切り替えられると（Ｓ２１で「ＹＥＳ」）、閑散モードの製氷処理を終了する。
なお、第１設定では、繁忙モードや閑散モードであるか否かに関わらずに常に満氷になるまで製氷し続けるため、閑散モードにおいても第１設定の場合には、繁忙モードにおける製氷動作と同様に検知部４１が満氷を検知するまで製氷し続けることになる。一方、繁忙モードにおいて第２設定の場合には、検知部４１が満氷を検知した後は製氷を一旦終了する。
【００３３】
本実施形態によれば、以下の作用、効果を奏する。
アイスディスペンサ１０は、氷を製氷する製氷部２２と、製氷部２２で製氷された氷を貯える貯氷槽７０と、貯氷槽７０に貯えられた氷を放出する放出口９２と、放出口９２からの氷の放出をユーザが操作可能な操作部９９と、製氷部２２による製氷を制御する制御部１００と、を備え、制御部１００は、所定時間内における放出口９２からの氷の放出量に応じて繁忙モードと閑散モードとを切り替えるモード切り替え手段１０２を有し、閑散モードでは、繁忙モードよりも貯氷槽７０の貯氷量が少なくなるように製氷部２２による製氷を制御する。
【００３４】
本実施形態によれば、制御部１００がユーザによる氷の需要に応じて繁忙モードと閑散モードとを切り替えることにより、繁忙期の氷の不足や閑散期の無駄な製氷を抑制することができる。また、制御部１００は、所定時間における放出口９２からの氷の放出量に基づいて閑散モードと繁忙モードとを切り替えればよいため、簡素な構成で繁忙期と閑散期との双方における貯氷量の過不足を抑制することが可能となる。
【００３５】
操作部９９は、操作回数に応じた量の氷を放出口９２から放出させるものであり、制御部１００は、操作部９９の操作回数に応じて閑散モードと繁忙モードとを切り替える。
このようにすれば、氷の放出量を操作部９９の操作回数に応じて検知することが可能になるため、閑散モードと繁忙モードとの切り替えの処理を容易に行うことができる。
【００３６】
また、貯氷槽７０が満氷であることを検知する検知部４１を備え、制御部１００は、所定時間内における放出口９２からの氷の放出量が閾値以下であり、かつ、検知部４１が満氷であることを検知した際に、繁忙モードから閑散モードに切り替える。
このようにすれば、貯氷槽７０が満氷となった後に閑散モードとなるため、閑散モードにおける氷の不足を抑制することができる。
【００３７】
また、流下した水が凍結することによりブロック形氷が板状に連結された形状の板形連結氷が製氷面２４に付着し、貫通孔１８が形成された製氷板２３と、貫通孔１８に挿通され、製氷板２３から板形連結氷が離脱する方向に板形連結氷を押し出すスライドピン５１（押し出し部）と、板形連結氷の移動を検知する電流センサ１０６（移動検知部）と、貯氷槽７０に貯えられた氷を攪拌するように動作するアジテータ７９と、ユーザにより第１設定と第１設定よりも貯氷槽７０に貯氷される氷の少ない第２設定とを切り替え可能な設定手段１０４と、を備え、制御部１００は、第１設定に設定されている状態では、スライドピン５１の押し出し動作時において電流センサ１０６が板形連結氷の移動を検知した後にアジテータ７９を動作させ、第２設定に設定されている状態では、スライドピン５１の押し出し動作時において電流センサ１０６が板形連結氷の移動を検知する前にアジテータ７９を動作させる。
このようにすれば、ユーザの設定により、アジテータ７９が貯氷槽７０に貯氷される氷を攪拌するタイミングを変えることができるため、貯氷槽７０に貯氷される氷の量をユーザの設定に応じて調節することができる。また、第２設定の場合は板形連結氷が落下する前にアジテータ７９の攪拌を済ませてなるべく板形連結氷を砕かないようにする。そうすることで満氷検知がされやすくなって貯氷量が減る。
【００３８】
また、第２設定に設定されている状態で繁忙モードとなると、制御部１００は、電流センサ１０６が板形連結氷の移動を検知する前にアジテータ７９を動作させ、第２設定に設定されている状態で閑散モードとなると、制御部１００は、アジテータ７９を動作させない。
このようにすれば、より一層、貯氷量の過不足を抑制することが可能となる。
【００３９】
＜実施形態２＞
次に、実施形態２について図１３，図１４を参照しつつ説明する。実施形態１では、制御部１００は、直近３０分間における氷の放出量が閾値（６００ｇ）以上でない場合には、検知部４１が満氷を検知しているか否か判断し、満氷時に閑散モードの処理を行う構成としたが、実施形態２では、直近３０分間における氷の放出量が閾値（６００ｇ）以上でない場合には、満氷か否かに関わらず、閑散モードの処理を行うものである。以下では、実施形態１と同一の構成については同一の符号を付して説明を省略する。
【００４０】
制御部１００は、図１４に示すように、タイマ１０１により時間を計測している（Ｓ３１）。ユーザにより操作部９９の操作ボタン押されたことを検知すると（Ｓ３２で「ＹＥＳ」）、操作ボタンの種類及び回数により氷の放出量を算出する（Ｓ３３）。次に、タイマ１０１の経過時間及び放出量に基づいて、直近３０分間における氷の放出量が閾値（６００ｇ）以上である場合には（Ｓ３４で「ＹＥＳ」）、制御部１００は、図１３に示すように、繁忙モードとし、上記した繁忙モードの製氷処理を行う（Ｓ３５）。
【００４１】
Ｓ３４において、直近３０分間における氷の放出量が閾値（６００ｇ）以上でない場合には（Ｓ３４で「ＮＯ」）、制御部１００は、図１３に示すように、閑散モードとし、上記した閑散モードの製氷処理を行う（Ｓ３６）。
【００４２】
＜他の実施形態＞
本明細書に記載された技術は上記記述及び図面によって説明した実施形態に限定されるものではなく、例えば次のような実施形態も本明細書に記載された技術の技術的範囲に含まれる。
【００４３】
（１）氷の放出量の閾値は上記実施形態の６００ｇに限られず、種々の値に変更することができる。また、操作部９９の各操作ボタンによる放出量についても異なる量に変更することができる。また、氷の放出量の所定時間についても３０分に限られず、種々の時間に変更することができる。
【００４４】
（２）操作部９９の操作回数に応じて閑散モードと繁忙モードとを切り替える構成としたが、これに限られず、例えば、操作回数ではなく、計量した氷の重量に応じて閑散モードと繁忙モードとを切り替える構成としてもよい。また、第１設定と第２設定とを切り替える設定手段１０４を備えない構成としてもよい。
【００４５】
（３）閑散モードでは、満氷検知後、所定時間経過後に製氷を開始する構成としたが、これに限られず、満氷検知後の製氷が行われるまでの時間は異なる時間に変更してもよい。また、満氷検知後の製氷が行われるまでの時間（待機時間）を設ける構成に限られず、例えば、閑散モードでは、繁忙モードよりも製氷部２２による製氷のスピードを遅くすることにより、製氷部２２による製氷が少なくなるようにしてもよい。
【００４６】
（４）貯氷槽７０の満氷の検知は、上記構成の検知部に限られず、検出原理等の異なる種々の公知の検知部を用いてもよい。例えば、光電センサの透過や反射等により満氷を検知してもよい。
【符号の説明】
【００４７】
１０：アイスディスペンサ、１１：ハウジング、１８：貫通孔、２０：製氷機構、２２：製氷部、２３：製氷板、３０：冷凍装置、３１：圧縮機、３２：凝縮器、３４：蒸発管、３７：ホットガス弁、４０：ガイド板、４１：検知部、４５：タンク、４６：水位センサ、５０：氷離脱装置、５１Ａ，５１Ｂ（５１）：スライドピン（押し出し部）、５２，７７，９３：モータ、７０：貯氷槽、７９：アジテータ、９０：放出機構、９１：定量室、９１Ａ：氷定量器、９２：放出口、９９：操作部、１００：制御部、１０１：タイマ、１０２：切り替え手段、１０４：設定手段、１０６：電流センサ（移動検知部）
【図１】
2019117021.tif 000003
【図２】
2019117021.tif 000004
【図３】
2019117021.tif 000005
【図４】
2019117021.tif 000006
【図５】
2019117021.tif 000007
【図６】
2019117021.tif 000008
【図７】
2019117021.tif 000009
【図８】
2019117021.tif 000010
【図９】
2019117021.tif 000011
【図１０】
2019117021.tif 000012
【図１１】
2019117021.tif 000013
【図１２】
2019117021.tif 000014
【図１３】
2019117021.tif 000015
【図１４】
2019117021.tif 000016